【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
撮像素子と、該撮像素子で撮像された画像を表示させる表示装置と、前記撮像素子で撮像された画像データを記憶する記憶装置とを有する撮像装置において、
前記表示装置の駆動速度を司る表示制御用クロック信号の出力状態を一時的に変更するクロック状態変更手段と、
前記表示装置を非表示状態にさせる処理及び再表示させる処理を行う一時非表示処理手段と、
前記撮像素子で撮像される画像の露光期間または、この露光期間で得られた画像データを前記記憶装置に取り込む期間に前記一時非表示処理手段及び前記クロック状態変更手段を作動させる表示制御手段と、
を備えることを特徴とする撮像装置。
【請求項２】
前記クロック状態変更手段は、前記一時非表示処理手段により前記表示装置を非表示状態にしてから所定時間後に前記表示制御用クロック信号の出力を停止させ、前記一時非表示処理手段により前記表示装置を再表示させる所定時間前に前記表示制御用クロック信号の出力を再開させることを特徴とする請求項１に記載の撮像装置。
【請求項３】
前記クロック状態変更手段は、前記一時非表示処理手段により前記表示装置を非表示状態にしてから前記表示制御用クロック信号の周波数を変更し、前記一時非表示処理手段により前記表示装置を再表示させる前に前記表示制御用クロック信号の変更されていた周波数を元の周波数に戻すことを特徴とする請求項１または請求項２に記載の撮像装置。
【請求項４】
前記クロック状態変更手段は、前記一時非表示処理手段により前記表示装置を非表示状態にしてから前記表示制御用クロック信号の周波数を変更し、周波数を変更してから所定時間後に前記表示制御用クロック信号の出力を停止させ、前記一時非表示処理手段により前記表示装置を再表示させる所定時間前に前記表示制御用クロック信号の出力を周波数が変更された状態で再開させ、前記表示装置を再表示させる前に前記表示制御用クロック信号の変更されていた周波数を元の周波数に戻すことを特徴とする請求項２または請求項３に記載の撮像装置。
【請求項５】
前記表示制御手段は、前記撮像素子で撮像される画像の露光期間と、この露光期間で得られた画像データを前記記憶装置に取り込む期間のうち、一方の期間だけ、前記一時非表示処理手段を作動させることを特徴とする請求項１乃至請求項４の何れか１つに記載の撮像装置。
【請求項６】
前記表示制御手段は、前記撮像素子で撮像される画像の露光期間と、この露光期間で得られた画像データを前記記憶装置に取り込む期間の両方の期間で、前記一時非表示処理手段を作動させることを特徴とする請求項１乃至請求項４の何れか１つに記載の撮像装置。
【請求項７】
前記クロック状態変更手段は、前記表示装置を非表示状態にしているときに、前記表示制御用クロック信号の周波数を高くすることを特徴とする請求項３または請求項４に記載の撮像装置。
【請求項８】
前記一時非表示処理手段は、非表示状態にさせる処理として電荷放電処理を行うことを特徴とする請求項１乃至請求項７の何れか１つに記載の撮像装置。
【請求項９】
前記一時非表示処理手段は、再表示させる処理としてクロックの安定化と通信プロトコルの確立を行うことを特徴とする請求項１乃至請求項８の何れか１つに記載の撮像装置。
【請求項１０】
前記表示制御手段は、前記撮像素子で撮像される画像の露光期間または、この露光期間で得られた画像データを前記記憶装置に取り込む期間に、前記表示装置の電源供給を停止することなく、前記一時非表示処理手段を作動させることにより前記表示制御用クロック信号を停止させることを特徴とする請求項１乃至請求項９の何れか１つに記載の撮像装置。
【請求項１１】
撮像素子と、該撮像素子で撮像された画像を表示させる表示装置と、前記撮像素子で撮像された画像データを記憶する記憶装置とを有する撮像装置のコンピュータを、
前記表示装置の駆動速度を司る表示制御用クロック信号の出力状態を一時的に変更するクロック状態変更手段と、
前記表示装置を非表示状態にさせる処理及び再表示させる処理を行う一時非表示処理手段と、
前記撮像素子で撮像される画像の露光期間または、この露光期間で得られた画像データを前記記憶装置に取り込む期間に前記一時非表示処理手段及び前記クロック状態変更手段を作動させる表示制御手段と、
して機能させることを特徴とするプログラム。
【請求項１２】
撮像素子で逐次撮像される画像を表示装置に逐次表示させるスルー画像表示手段と、
前記表示装置の駆動速度を司る表示制御用クロック信号の周波数を設定する周波数設定手段と、
前記スルー画像表示手段による表示動作を停止させる場合に、前記表示装置を非表示状態にした後、前記周波数設定手段により前記表示制御用クロック信号の周波数を変更し、前記表示制御用クロック信号の周波数を変更してから所定時間後に前記表示制御用クロック信号の出力を停止させる表示停止制御手段と、
前記スルー画像表示手段による表示動作を開始させる場合に、前記表示制御用クロック信号の出力を周波数が変更された状態で再開させ、前記表示制御用クロック信号の出力を再開させた所定時間後に、前記周波数設定手段により変更されていた周波数を元の周波数に戻し、その後、前記表示装置を再表示させる表示開始制御手段と、
を備えたことを特徴とする撮像装置。
【手続補正２】
【補正対象書類名】明細書
【補正対象項目名】０００７
【補正方法】変更
【補正の内容】
【０００７】
本発明は、撮像素子と、該撮像素子で撮像された画像を表示させる表示装置と、前記撮像素子で撮像された画像データを記憶する記憶装置とを有する撮像装置において、前記表示装置の駆動速度を司る表示制御用クロック信号の出力状態を一時的に変更するクロック状態変更手段と、前記表示装置を非表示状態にさせる処理及び再表示させる処理を行う一時非表示処理手段と、前記撮像素子で撮像される画像の露光期間または、この露光期間で得られた画像データを前記記憶装置に取り込む期間に前記一時非表示処理手段及び前記クロック状態変更手段を作動させる表示制御手段と、を備えることを特徴とする。
また、前記クロック状態変更手段は、前記一時非表示処理手段により前記表示装置を非表示状態にしてから所定時間後に前記表示制御用クロック信号の出力を停止させ、前記一時非表示処理手段により前記表示装置を再表示させる所定時間前に前記表示制御用クロック信号の出力を再開させることを特徴とする。
また、前記クロック状態変更手段は、前記一時非表示処理手段により前記表示装置を非表示状態にしてから前記表示制御用クロック信号の周波数を変更し、前記一時非表示処理手段により前記表示装置を再表示させる前に前記表示制御用クロック信号の変更されていた周波数を元の周波数に戻すことを特徴とする。
また、前記クロック状態変更手段は、前記一時非表示処理手段により前記表示装置を非表示状態にしてから前記表示制御用クロック信号の周波数を変更し、周波数を変更してから所定時間後に前記表示制御用クロック信号の出力を停止させ、前記一時非表示処理手段により前記表示装置を再表示させる所定時間前に前記表示制御用クロック信号の出力を周波数が変更された状態で再開させ、前記表示装置を再表示させる前に前記表示制御用クロック信号の変更されていた周波数を元の周波数に戻すことを特徴とする。
【手続補正３】
【補正対象書類名】明細書
【補正対象項目名】００１０
【補正方法】変更
【補正の内容】
【００１０】
そして、前記クロック状態変更手段は、前記表示装置を非表示状態にしているときに、前記表示制御用クロック信号の周波数を高くすることを特徴とする。
【手続補正４】
【補正対象書類名】明細書
【補正対象項目名】００１３
【補正方法】変更
【補正の内容】
【００１３】
そして、前記表示制御手段は、前記撮像素子で撮像される画像の露光期間または、この露光期間で得られた画像データを前記記憶装置に取り込む期間に、前記表示装置の電源供給を停止することなく、前記一時非表示処理手段を作動させることにより前記表示制御用クロック信号を停止させることを特徴とする。
また、他の態様による発明は、撮像素子と、該撮像素子で撮像された画像を表示させる表示装置と、前記撮像素子で撮像された画像データを記憶する記憶装置とを有する撮像装置のコンピュータを、前記表示装置の駆動速度を司る表示制御用クロック信号の出力状態を一時的に変更するクロック状態変更手段と、前記表示装置を非表示状態にさせる処理及び再表示させる処理を行う一時非表示処理手段と、前記撮像素子で撮像される画像の露光期間または、この露光期間で得られた画像データを前記記憶装置に取り込む期間に前記一時非表示処理手段及び前記クロック状態変更手段を作動させる表示制御手段と、して機能させることを特徴とするプログラムであることを特徴とする。
また、他の態様による発明は、撮像素子で逐次撮像される画像を表示装置に逐次表示させるスルー画像表示手段と、前記表示装置の駆動速度を司る表示制御用クロック信号の周波数を設定する周波数設定手段と、前記スルー画像表示手段による表示動作を停止させる場合に、前記表示装置を非表示状態にした後、前記周波数設定手段により前記表示制御用クロック信号の周波数を変更し、前記表示制御用クロック信号の周波数を変更してから所定時間後に前記表示制御用クロック信号の出力を停止させる表示停止制御手段と、前記スルー画像表示手段による表示動作を開始させる場合に、前記表示制御用クロック信号の出力を周波数が変更された状態で再開させ、前記表示制御用クロック信号の出力を再開させた所定時間後に、前記周波数設定手段により変更されていた周波数を元の周波数に戻し、その後、前記表示装置を再表示させる表示開始制御手段と、を備えたことを特徴とする。